【手続補正書】
【提出日】平成19年10月11日(2007.10.11)
【手続補正１】
【補正対象書類名】明細書
【補正対象項目名】特許請求の範囲
【補正方法】変更
【補正の内容】
【特許請求の範囲】
【請求項１】  少なくとも２つの燃焼室を有する内燃機関の制御方法であって，
少なくとも１つのプロセッサにより制御機能が実行される段階と、
前記制御機能の基礎となる少なくとも１つのプログラムコードを格納するための少なくとも１つのメモリを提供する段階と、
少なくとも１つのデータセットが前記プログラムコードに割り当てられる段階と、
前記プログラムコードと前記少なくとも１つのデータセットとの結び付きとして前記制御機能が実行される段階と、
前記燃焼室が前記なくとも２つのエンジンブロックにグループ分けされる段階と、
各々の前記少なくとも１つのデータセットが各々の前記少なくとも２つのエンジンブロックに割り当てられる段階と、
各々の前記少なくとも２つのエンジンブロックを制御する制御機能を実行するために、前記少なくとも１つのデータセットの中で一つが選択される段階であって、前記少なくとも１つのデータセットは同一部分データセット（equal data subset)と非同一部分データセット（unequal data subset)からなる、前記選択される段階を含み、更に
前記同一部分データセットを少なくとも１つのメモリに格納する段階と、
各々の前記非同一部分データセットを前記少なくとも２つのエンジンブロックに割り当らする段階と、
前記同一部分データセット及び各々の前記非同一部分データセットを用いて、制御機能が実行される段階を含むことを特徴とする内燃機関の制御方法。
【請求項２】  前記制御機能の基礎となったプログラムコードは，前記エンジンブロックごとに同一であることを特徴とする請求項１に記載の内燃機関の制御方法。
【請求項３】  前記少なくとも２つのエンジンブロックの各々に対し、一つのプログラムコードだけが、一つのメモリに格納されることを特徴とする請求項１に記載の内燃機関の制御方法。
【請求項４】  前記少なくとも２つのエンジンブロックに対し、前記プログラムは、常に、前記少なくとも１つのメモリ上の同一のデータセット位置にアクセスし、前記少なくとも１つのデータセットの各々は、前記少なくとも２つのエンジンブロックに対応するように、個々に存在する，ことを特徴とする請求項１に記載の内燃機関の制御方法。
【請求項５】  前記エンジンブロック毎に前記各データセットの始端が求められる段階であって、少なくとも１つのデータが、前記少なくとも１つのデータセット始端から予め選択可能なあるいは決定可能なオフセットにより、前記少なくとも１つのデータセットから選択される，前記求められる段階と，
前記プログラムコードにより前記データセット始端プラス前記オフセットにアクセスする段階と，
を有する，ことを特徴とする請求項１に記載の内燃機関の制御方法。
【請求項６】  前記エンジンブロック毎に，前記各データセットの始端が求められる段階と，
前記プログラムコードより、前記各データセットの始端がアクセスされる段階と、
前記各データセット始端に対して、予め設定可能な距離によりデータセット範囲が選択される段階と、
第１のエンジンブロックの制御を第２のエンジンブロックに変更する際に前記少なくとも１つのデータセットが変更される段階と，
を有する、ことを特徴とする請求項１に記載の内燃機関の制御方法。
【請求項７】  制御機能を実行するための少なくとも１つのプロセッサと，少なくとも１つのメモリとを有し，前記メモリには、少なくとも１つの前記制御機能の基礎となるプログラムコードが格納され、少なくとも１つのデータセットが前記プログラムコードに割り当てられ、前記制御機能は前記プログラムコードと前記データセットとの結び付きとして実現される，少なくとも２つの燃焼室を有する内燃機関の制御装置であって，
前記燃焼室が前記なくとも２つのエンジンブロックにグループ分けされる段階と、
各々の前記少なくとも１つのデータセットが各々の前記少なくとも２つのエンジンブロックに割り当てられる段階と、
各々の前記少なくとも２つのエンジンブロックを制御する制御機能を実行するために、前記少なくとも１つのデータセットの中で一つが選択される段階であって、前記少なくとも１つのデータセットは同一部分データセット（equal data subset)と非同一部分データセット（unequal data subset)からなる、前記選択される段階を実行し、更に
前記同一部分データセットを少なくとも１つのメモリに格納する段階と、
各々の前記非同一部分データセットを前記少なくとも２つのエンジンブロックに割り当らする段階と、
前記同一部分データセット及び各々の前記非同一部分データセットを用いて、制御機能が実行される段階を実行する手段を有することを特徴とする内燃機関の制御装置。
【請求項８】  制御機能を実行するための少なくとも１つのプロセッサと，少なくとも１つのメモリとを有し，前記メモリには、少なくとも１つの前記制御機能の基礎となるプログラムコードが格納され、少なくとも１つのデータセットが前記プログラムコードに割り当てられ、前記制御機能は前記プログラムコードと前記データセットとの結び付きとして実現される，少なくとも２つの燃焼室を有する内燃機関の制御ユニットであって，
前記燃焼室が前記なくとも２つのエンジンブロックにグループ分けされる段階と、
各々の前記少なくとも１つのデータセットが各々の前記少なくとも２つのエンジンブロックに割り当てられる段階と、
各々の前記少なくとも２つのエンジンブロックを制御する制御機能を実行するために、前記少なくとも１つのデータセットの中で一つが選択される段階であって、前記少なくとも１つのデータセットは同一部分データセット（equal data subset)と非同一部分データセット（unequal data subset)からなる、前記選択される段階を実行し、更に
前記同一部分データセットを少なくとも１つのメモリに格納する段階と、
各々の前記非同一部分データセットを前記少なくとも２つのエンジンブロックに割り当らする段階と、
前記同一部分データセット及び各々の前記非同一部分データセットを用いて、制御機能が実行される段階を実行する手段を有することを特徴とする内燃機関の制御ユニット。
【請求項９】  コンピュータ内で実行されるプログラム及び／又はデータを格納するメモリ手段であって，
前記プログラム及び／又はデータが，請求項１に記載の方法を実行可能であることを特徴とするメモリ手段。
【請求項１０】  少なくとも２つの燃焼室を有する内燃機関の制御方法であって，
少なくとも１つのプロセッサにより制御機能が実行される段階と、
前記制御機能の基礎となる少なくとも１つのプログラムコードを格納するための少なくとも１つのメモリを提供する段階と、
少なくとも１つのデータセットが前記プログラムコードに割り当てられる段階と、
前記プログラムコードと前記少なくとも１つのデータセットとの結び付きとして前記制御機能が実行される段階と、
前記燃焼室が前記なくとも２つのエンジンブロックにグループ分けされる段階と、
各々の前記少なくとも１つのデータセットが各々の前記少なくとも２つのエンジンブロックに割り当てられる段階と、
各々の前記少なくとも２つのエンジンブロックを制御する制御機能を実行するために、前記少なくとも１つのデータセットの中で一つが選択される段階と、
第１メモリからプログラムコードがアクセスする第２メモリへ前記少なくとも１つのデータセットをロードする段階であって、前記少なくとも１つのデータセットは同一部分データセット（equal data subset)と非同一部分データセット（unequal data subset)からなり、第２メモリの第１ロードの際、前記同一及び非同一部分データセットがロードされ、追加ロードの際、前記非同一部分データセットが第２メモリへロードされることを特徴とする内燃機関の制御方法。